(57)【要約】【課題】より簡単に調整用カードを設定して利用することができる錠コントローラを提供する。【解決手段】錠コントローラの施解錠制御部は、初期化されている状態から電源が投入されると（ステップＳ１）、最初に読取られたＩＣカードの認証情報が所定の条件に適合するとそのカードを調整用カードに設定する（ステップＳ２，Ｓ３）。タイマ部は、最初の調整用カードの認証情報が記憶させると計時動作を開始し（ステップＳ４）、その計時動作中に読取られたＩＣカードが新規に読取られたカードであれば新たな調整用カードに設定する（ステップＳ５〜Ｓ７）。【選択図】図１
2008231766.tif 000002
【特許請求の範囲】
【請求項１】
所定の認証情報が記録されたカードの前記認証情報を読取る情報読取り部と、通常動作モードと、前記通常動作モード時に行う制御機能の一部を無効化した状態で動作する調整モードとの切換えを行なうモード切換え手段と、前記認証情報に基づいて、入退室の際に開閉される扉の施錠，解錠の可否を判定する認証手段を有する制御部とを備えてなる錠コントローラにおいて、
前記制御部は、
電源が投入されると、前記モード切換え手段が調整モードで起動し、最初に読取られたカードの認証情報が所定の条件に適合する場合は前記カードを調整用カードとして設定する調整用カード設定手段と、
前記認証情報の少なくとも一部を記憶させる記憶手段と、
この記憶手段が、前記調整用カードとして最初に設定されたカードの認証情報の少なくとも一部を記憶させると所定時間の計時動作を開始するタイマ手段とを備え、
前記調整用カード設定手段は、前記タイマ手段による計時動作中に読取られたカードの認証情報と、前記記憶手段によって記憶された認証情報とを照合して、前記カードが新規に読取られたカードであると判断すると前記カードを新たな調整用カードとして設定し、当該カードの認証情報の少なくとも一部を前記記憶手段に追加して記憶させ、
前記認証手段は、前記タイマ手段が前記計時動作を終了すると、読取ったカードの認証情報を前記記憶手段によって記憶された情報と照合し、前記カードが調整用カードであると判断すると、前記認証情報の内容に応じて、予め設定されている扉の施錠，解錠の可否を判定し、前記制御部が扉の施錠，解錠を制御することを特徴とする錠コントローラ。
【請求項２】
前記タイマ手段が計時動作を終了すると所定時間の計時動作を開始するサブタイマ手段を備え、
前記調整用カード設定手段は、
前記サブタイマ手段による計時動作中に読取られたカードの認証情報と、前記記憶手段によって記憶された認証情報とを照合して、前記カードが新規に読取られたカードであると判断すると前記カードを特定動作カードとして設定し、当該カードの認証情報の少なくとも一部を前記記憶手段に記憶させ、
前記モード切換え手段は、前記通常動作モード中に読取ったカードが前記調整用カードであると判断すると、再び前記調整モードに移行し、
前記通常動作モード中に読取ったカードが前記特定動作カードであると判断すると、通常のカードとは異なる制御を実行することを特徴とする請求項１記載の錠コントローラ。
【請求項３】
前記制御部は、前記通常動作モード中に読取ったカードが前記特定動作カードであると判断して解錠動作を行なうと、前記特定動作カードを再度読取るまで解錠状態を維持することを特徴とする請求項２記載の錠コントローラ。
【請求項４】
前記制御部は、前記通常動作モード中に読取ったカードが前記特定動作カードであると判断して解錠動作を行なうと、前記扉の開閉状態にかかわらず、解錠状態を所定時間だけ維持することを特徴とする請求項２記載の錠コントローラ。
【請求項５】
前記制御部は、前記通常動作モード中に読取ったカードが前記特定動作カードであると判断すると、前記特定動作カードの読取り情報を外部に送信することを特徴とする請求項２記載の錠コントローラ。
【請求項６】
前記制御部は、前記通常動作モード中に前記調整用カードを「２」以上の所定枚数読取った場合に、前記調整モードに移行することを特徴とする請求項２乃至５の何れかに記載の錠コントローラ。
【請求項７】
前記タイマ手段が計時動作中であること、又はその計時動作が終了したことを作業者に報知するための報知手段を備えたことを特徴とする請求項１乃至６の何れかに記載の錠コントローラ。
【請求項８】
前記タイマ手段は、前記所定時間の計時動作が完了するまでの間に新たな調整用カードが読取られると、前記カードの認証が行なわれる毎に、前記計時動作をリセットスタートすることを特徴とする請求項１乃至７の何れかに記載の錠コントローラ。
【発明の詳細な説明】
【技術分野】
【０００１】
本発明は、所定の認証情報が記録されたカードの情報を読取り、その認証情報に基づいて、入退室の際に開閉される扉の施錠，解錠を制御する錠コントローラに関する。
【背景技術】
【０００２】
セキュリティを確保する必要がある特定の部屋に対する入退室を管理するため、ＩＣカードを使用して扉の解錠，施錠を制御するシステムについては、そのシステムの設置工事中や工事後の試験稼動、或いは本稼動後のメンテナンスや調整の際に、工事作業者や保守作業者は、調整用カードを用いてシステムを使用するようになっている。この場合、例えば、タンパ機能（錠コントローラの蓋が開けられた際に、コントローラの内部に記憶されている機密情報を削除する機能）のような一部の機能を無効にした状態で、システムを使用する必要があるためである。
【０００３】
上記の調整用カードの取り扱いについては、予め錠コントローラ側に所定の取り決めを行うようにする。一般的には、例えば特許文献１に開示されているように、特定のカードに調整用カードであることを示す情報を書き込んでおき、コントローラ側がその情報を読取ると、自身の動作モードを調整モードに移行させるようにしている。
【特許文献１】特開２００２−１６３６９号公報
【発明の開示】
【発明が解決しようとする課題】
【０００４】
しかしながら、特許文献１のような従来の方式では、工事現場において設置する錠コントローラの数量がシステムの規模に応じて多くなる場合に、調整用カードの使用に制約があった。例えば、予め登録した調整用カードの数が３枚であり、現場に設置される錠コントローラの数が１００を超えるような場合、３枚の調整用カードを使い回す必要があり、カードを使用できない現場では調整作業が滞ることが想定される。
その他、例えば、錠コントローラを出荷する前に、工場において各コントローラ毎に調整用カードを設定しておくことも考えられるが、設定やカードの管理が複雑となり、現実的とはいえない。
【０００５】
本発明は上記事情に鑑みてなされたものであり、その目的は、より簡単に調整用カードを設定して利用することができる錠コントローラを提供することにある。
【課題を解決するための手段】
【０００６】
請求項１記載の錠コントローラによれば、調整用カード設定手段は、電源が投入されると、最初に読取られたカードの認証情報が所定の条件に適合する場合はそのカードを調整用カードに設定する。そして、タイマ手段は、最初に設定された調整用カードの認証情報を記憶手段が記憶させると所定時間の計時動作を開始する。
更に、調整用カード設定手段は、上記の計時動作中に読取られたカードが新規に読取られたカードであれば新たな調整用カードに設定し、認証手段は、タイマ手段が計時動作を終了すると、以降に読取ったカードの認証情報を記憶手段により記憶された情報と照合し、前記カードが調整用カードであると判断すると、認証情報の内容に応じて予め設定されている扉の施錠，解錠の可否を判定し、制御部はその判定結果に応じて施錠，解錠を制御する。
【０００７】
斯様に構成すれば、錠コントローラは、最初に電源が投入された時点から所定時間が経過するまでの間に読取られたカードを調整用カードに設定し、調整モードでの使用を可能とする。従って、調整用カードとして使用するためのカードに、予め特定の情報を記憶させておく必要は無く、調整運転を行う際に、多数の設置箇所において同時に調整用カードを使用する場合でも、各箇所で必要とされる枚数に応じて、調整用カードを柔軟に設定して使用することができる。
【０００８】
請求項２記載の錠コントローラによれば、サブタイマ手段は、タイマ手段が計時動作を終了すると自身の計時動作を開始し、調整用カード設定手段は、サブタイマ手段による計時動作中に読取られたカードが新規に読取られたカードであれば、そのカードを特定動作カードに設定する。そして、モード切換え手段は、通常動作モード中に読取ったカードが調整用カードであれば再び調整モードに移行し、通常動作モード中に読取ったカードが特定動作カードであれば、通常のカードとは異なる制御を実行する。
【０００９】
即ち、通常動作モード中であっても、オプションとして、通常とは異なるパターンで
解錠，施錠動作を実行させることができると好ましい場合には、錠コントローラに対して最初に電源が投入された時点で、調整用カードの設定を行った後に続いて特定動作カードの設定を行ない、その特定動作カードを使用して、錠コントローラに通常のカードとは異なる制御を実行させることができる。そして、この場合も、特定動作カードとして使用するためのカードに予め特定の情報を記憶させておく必要は無いので、設定を柔軟に行うことができる。
【００１０】
請求項３記載の錠コントローラによれば、制御部は、通常動作モード中に読取ったカードが特定動作カードであると判断して解錠動作を行なうと、特定動作カードを再度読取るまで解錠状態を維持する。即ち、通常のカードであれば、その認証情報を読取った結果、扉を一旦解錠すると、扉が閉じられた後例えば数秒が経過すると自動的に施錠するのが一般的な制御パターンである。しかしながら、状況によっては、一度開けた扉が直ちに施錠されると、再びカードを使って再度の解錠を行う動作が煩わしい場合も想定される（例えば、多くの荷物を出入れする場合など）。従って、特定動作カードを読取る毎に、解錠，施錠を交互に行うように設定すれば、ユーザの意思によって扉を施錠させたいタイミングで施錠させることが可能となる。
【００１１】
請求項４記載の錠コントローラによれば、制御部は、通常動作モード中に読取ったカードが特定動作カードであると判断して解錠動作を行なうと、扉の開閉状態にかかわらず、解錠状態を所定時間だけ維持する。即ち、請求項３において述べた場合と同様に、一度開けた扉が直ちに施錠されると再度の解錠動作が煩わしい場合には、特定動作カードを読取らせて解錠状態を所定時間（例えば、数分〜数１０分）だけ維持すれば、その間に入退室を繰り返すことができる。
【００１２】
請求項５記載の錠コントローラによれば、制御部は、通常動作モード中に読取ったカードが特定動作カードであると判断すると、その特定動作カードの読取り情報を外部に送信する。例えば、外部からの来客のように、特定の日時にだけ入退室を行う者に対しては、特定動作カードを貸与して入室を行なわせるようにしておき、錠コントローラが読取った上記カードの情報を外部に送信させることで、例えば、特定の客が来訪したことを認識して報知させる、といった制御を行わせることができる。
【００１３】
請求項６記載の錠コントローラによれば、制御部は、通常動作モード中に調整用カードを「２」以上の所定枚数読取った場合は調整モードに移行する。即ち、必要な調整を終了して錠コントローラを一旦稼動させた後でも、状況に応じて調整モードを設定した方が望ましいことも想定されるので、ユーザの意思に応じて再度調整モードに移行させることができる。
【００１４】
請求項７記載の錠コントローラによれば、報知手段は、タイマ手段が計時動作中であること、又はその計時動作が終了したことを作業者に報知するので、作業者は、現在の錠コントローラの動作状態を報知に基づいて把握することができ、調整用カード等の設定作業が行い易くなる。
【００１５】
請求項８記載の錠コントローラによれば、タイマ手段は、所定時間の計時動作が完了するまでの間に新たな調整用カードが読取られると、そのカードの認証が行なわれる毎に、計時動作をリセットスタートするので、カードの読取り状況に応じて、調整用カードの設定可能期間を適宜延長することができ、設定作業が行い易くなる。
【発明を実施するための最良の形態】
【００１６】
（第１実施例）
以下、本発明の第１実施例について図１乃至図６を参照して説明する。図６は、入室管理システムの全体構成を示すものである。ドア（扉）１の内部には電気錠２が配置されており、電気錠２は、アクチュエータを電磁的に駆動することによってドア１の施錠，解錠を行うようになっている。カードリーダ（情報読取り部）３は、例えば非接触型のＩＣカードに記録されている個人データを電波信号を介して読み取り、読取ったデータを錠コントローラ４にシリアルインターフェイスを介して送信する。また、カードリーダ３は、その他、ＬＣＤパネルに文字を表示させたり、データの読取り応答としてサウンドを出力したり、図示しないＬＥＤ表示を行う機能などを備えている。
【００１７】
錠コントローラ４は、マイクロコンピュータなどで構成され、管理サーバ（データ管理手段）５との間においても、例えば、Ethernet（登録商標）のようなＬＡＮ(Local Area Network)を介して通信を行うようになっている。そして、錠コントローラ４は、管理サーバ５より送信されて自身が内部のＲＡＭなどに保持している解錠許可データと、カードリーダ３を介してＩＣカードより読み出したデータとを照合した結果に基づいて、電気錠２を制御するようになっている。
また、ドア１及び電気錠２，カードリーダ３，錠コントローラ４の組みは複数存在しており、各錠コントローラ４と管理サーバ５とが上記ＬＡＮを介して接続されている。
【００１８】
図５は、電気的構成を示す機能ブロック図である。ＩＣカード６は、メイン制御部７，メモリ８，通信制御部９及びアンテナ１０で構成されており、カードリーダ３より送信された電波信号をアンテナ１０が受信すると、図示しない電源回路により動作用電源が生成供給されて動作する。
メイン制御部７はＣＰＵなどで構成され、カードリーダ３により送信され、通信制御部９が復調したコマンドに応じてメモリ８に記憶されているＩＤ情報を読み出すと、通信制御部９及びアンテナ１０を介してカードリーダ３側に送信する。なお、上記のＩＤ情報は、例えば、企業の従業員番号などの認証情報である。通信制御部９は、カードリーダ３側にデータを送信する場合、例えば、カードリーダ３より送信される搬送波を負荷変調することで発生する反射波を利用して送信する。
【００１９】
カードリーダ３は、アンテナ１１，ＩＣカード通信制御部１２，錠コントローラ通信制御部１３，メイン制御部１４，サウンド発生部（報知手段）１５，メッセージ表示部（報知手段）１６などを備えている。メイン制御部１４は、ＣＰＵなどで構成されており、ＩＣカード通信制御部１２を制御して、アンテナ１１の通信範囲内に位置したＩＣカード６との間の通信を制御する。
【００２０】
錠コントローラ通信制御部１３は、例えばＲＳ−２３２Ｃなどのシリアル通信インターフェイスであり、メイン制御部１４は、錠コントローラ通信制御部１３を制御して錠コントローラ４との間の通信を制御する。また、メイン制御部１４は必要に応じて、サウンド発生部１５を制御し、図示しないブザーなどを駆動して動作状態に応じた音響信号を出力したり、また、メッセージ表示部１６を制御して文字メッセージをＬＣＤパネルに表示させる。
【００２１】
錠コントローラ４は、施解錠制御部（調整用カード設定手段，記憶手段，モード切換え手段，認証手段）１７，カードリーダ／電気錠／管理サーバの夫々に対応した通信制御部１８〜２０，メモリ２１，初期カード情報記憶部（記憶手段）２２，タイマ部（タイマ手段）２３などを備えている。施解錠制御部１７はＣＰＵなどで構成され、通常の動作状態では、カードリーダ通信制御部１８を介してカードリーダ３が読み取ったＩＣカード６のＩＤ情報を取得すると、メモリ２１または初期カード情報記憶部２２に予め記憶されている情報と照合を行う。そして、照合結果に応じて、電気錠通信制御部１９を介して電気錠２と通信し、施錠状態にあるドア１の解錠を行う。また、施解錠制御部１７が取得した情報は、必要に応じて、管理サーバ通信制御部２０を介して管理サーバ５に送信される。
【００２２】
初期カード情報記憶部２２には、後述するように、錠コントローラ４が調整モードで動作している期間に取得したＩＣカード６の情報が、施解錠制御部１７により書き込まれて記憶される。そして、タイマ部２３は、錠コントローラ４に対して最初に電源が投入された後に計時動作を開始して、上記調整モードを維持する所定時間を計時すると、施解錠制御部１７に対してタイムアップ信号を出力するように構成されている。
【００２３】
次に、本実施例の作用について図１乃至図４も参照して説明する。図１は、製品としての錠コントローラ４が工場より出荷され、図６に示すシステムとして現場に設置された状態で最初に電源が投入された場合に、施解錠制御部１７によって行われる処理内容を示すフローチャートである。電源が投入されると（ステップＳ１）、施解錠制御部１７は、カードリーダ３を介して最初のＩＣカード６の読み取りが行われ、取得したＩＣカード６の認証情報が所定の条件に適合するか、即ち、メモリ２１に予め記憶されている認証情報を有しているものか否かを判断する（ステップＳ２）。このステップＳ２で「ＹＥＳ」と判断するまで待機し、「ＹＥＳ」と判断すると、取得したＩＣカード６のデータを、初期カード情報記憶部２２に記憶させる（ステップＳ３）。そして、タイマ部２３に計時動作を開始させる（ステップＳ４）。
【００２４】
以降、施解錠制御部１７は、タイマ部２３が、ステップＳ８で所定時間（例えば、６０秒）の計時動作を終了するまで、ステップＳ５〜Ｓ７の処理を繰り返し実行する。先ず、ステップＳ４の実行後に読取られて取得したＩＣカード６についてステップＳ２と同様の判断を行い、「ＮＯ」と判断するとステップＳ８へ、「ＹＥＳ」と判断するとステップＳ６に移行する。
【００２５】
ステップＳ６では、ステップＳ５で取得したＩＣカード６のデータが、初期カード情報記憶部２２に既に記憶されていないか否かを判断し、記憶されていなければ（ＹＥＳ）、ステップＳ５で取得したＩＣカード６のデータを初期カード情報記憶部２２に記憶させる（ステップＳ７）。また、取得したＩＣカード６のデータが、初期カード情報記憶部２２に既に記憶されていれば（ＮＯ）ステップＳ８に移行する。そして、ステップＳ８において、タイマ部２３が所定時間の計時動作を終了すると（ＹＥＳ）、施解錠制御部１７は図１の処理を終了し、調整モードに移行する。
【００２６】
以上の処理において、ステップＳ２，Ｓ５で読取られて、初期カード情報記憶部２２に記憶されたＩＣカード６が、以降は施解錠制御部１７により「調整用カード」として取り扱われる。調整モードの実行中において、カードリーダ３により「調整用カード」が読取られると、施解錠制御部１７は、当該カードを従来（例えば、特許文献１）と同様に扱う。即ち、現場に設置したシステムを試験的に運用するため、例えば前述した「タンパ機能」や、その他、「扉開放異常警告機能」や「火災報知器ＯＮ検出機能」といった一部の機能は無効にした状態で、電気錠２の解錠，施錠を行う。
【００２７】
尚、「扉開放異常警告機能」は、一定時間（例えば、６０秒）以上に亘って扉が開けっ放しになった場合に警告音を発生する機能であり、「火災報知器ＯＮ検出機能」は、錠コントローラ４が図示しない火災報知器に接続されている場合、火災報知器がＯＮした時に、管理サーバ５に通知を行なう機能である。
【００２８】
そして、施解錠制御部１７は、図１の処理終了後における調整モードの実行中は、引き続き図２の処理を実行する。先ず、カードリーダ３によって、ＩＣカード６が読み取られるまで待機し（ステップＳ９）、ＩＣカード６が読み取られると（ＹＥＳ）、そのＩＣカード６が、初期カード情報記憶部２２に記憶されている調整用カード以外のカードか否かを判断する（ステップＳ１０）。調整用カードが読み取られた場合は（ＮＯ）、調整モードをそのまま維持して（ステップＳ１２）ステップＳ９に戻る。一方、調整用カード以外のＩＣカード６が読み取られると（ＹＥＳ）、後述する調整用カードの読取り枚数をカウントするためのカウンタをゼロクリアして（ステップＳ１１）調整モードを終了し、以降は運転モード（通常動作モード）となる。
【００２９】
また、図３は、施解錠制御部１７が運転モードに移行した場合の図２相当図である。施解錠制御部１７は、ステップＳ９と同様に、カードリーダ３によってＩＣカード６が読み取られるまで待機し（ステップＳ１３）、ＩＣカード６が読み取られると（ＹＥＳ）、そのＩＣカード６が、初期カード情報記憶部２２に記憶されている調整用カードか否かを判断する（ステップＳ１４）。調整用カードが以外のＩＣカード６が読み取られた場合は（ＮＯ）、運転モードをそのまま維持して（ステップＳ１６）ステップＳ１３に戻る。
【００３０】
一方、ステップＳ１３において調整用カードが読み取られると（ＹＥＳ）、調整用カードの読取り枚数をカウントするためのカウンタをインクリメントする（ステップＳ１５）。そして、上記カウンタのカウント値が所定値を超えたか否かを判断し（ステップＳ１７）、所定値（例えば「５」）を超えた場合は（ＹＥＳ）運転モードを終了し、再び調整モードに移行する。また、上記カウント値が所定値以下であれば（ＮＯ）ステップＳ１３に移行する。尚、図４は、図１〜図３の処理に対応したタイミングチャートの一例を示す（但し、ステップＳ１７における読取り枚数の設定は異なる）。
【００３１】
以上のように本実施例によれば、錠コントローラ４の施解錠制御部１７は、初期化されている状態から電源が投入されると、最初に読取られたＩＣカード６の認証情報が所定の条件に適合すればそのカードを調整用カードに設定する。そして、タイマ部２３は、最初に設定された調整用カードの認証情報が記憶させると計時動作を開始し、その計時動作中に読取られたＩＣカード６が新規に読取られたカードであれば新たな調整用カードに設定する。また、施解錠制御部１７は、上記の計時動作を終了した時点までに動作モードを調整モードに切換えておき、調整モードで動作している間に読取ったＩＣカード６が調整用カードであれば、その認証情報の内容に応じて予め設定されているドア１の施錠，解錠制御を行うようにした。
【００３２】
従って、調整用カードとして使用するためのＩＣカード６に予め特定の情報を記憶させておく必要は無く、調整運転を行う際に、多数の設置箇所において同時に調整用カードを使用する場合でも、各箇所で必要とされる枚数に応じて、調整用カードを柔軟に設定して使用することができる。
また、施解錠制御部１７は、運転モード中に調整用カードを所定枚数読取った場合は調整モードに移行するので、ユーザの意思に応じて再度調整モードに移行させることができる。
【００３３】
（第２実施例）
図７乃至図１１は本発明の第２実施例を示ものであり、第１実施例と同一部分には同一符号を付して説明を省略し、以下異なる部分について説明する。図７に示すように、第２実施例の錠コントローラ３１は、第１実施例のタイマ部２３を第１タイマ部２３として、もう１つ、第２タイマ部（サブタイマ手段）３２を備えて構成されている。第２タイマ部３２は、第１タイマ部２３が計時動作を終了してタイムアップ信号を出力すると計時動作を開始し、計時動作を終了すると、施解錠制御部１７に替わる施解錠制御部（調整用カード設定手段，記憶手段，モード切換え手段）３３にタイムアップ信号を出力するようになっている。
そして、第２実施例では、錠コントローラ３１は、第２タイマ部３２が計時動作を行なっている期間内にカードリーダ３が読取ったＩＣカード６を、運転モードにおいて、他のＩＣカード６とは異なる特定の動作をさせるための特定動作カードとして記憶する。
【００３４】
次に、第２実施例の構成について図８乃至図１１も参照して説明する。図８は、第１実施例の図１相当図である。施解錠制御部３３は、ステップＳ１において電源が投入されると、カードリーダ３に指令を送信して、メッセージ表示部１６に「調整用カードを読取らせて下さい」といったメッセージを表示させる（ステップＳ２１）。そして、ステップＳ２〜Ｓ４を実行すると、再びカードリーダ３に指令を送信し、サウンド発生部１５より、調整用カードの読取り期間であることを作業者に報知するための動作音を出力させる（ステップＳ２２）。その場合、例えば「ピッ！ピッ！ピッ！…」といったような、間欠的な鳴動音を出力させる。以降は、第１実施例と同様に、ステップＳ５〜Ｓ８を実行する。
【００３５】
上述したように、第２タイマ部３２は、第１タイマ部２３が計時動作を終了してタイムアップ信号を出力すると、第２タイマ部３２が計時動作を開始する。そして、施解錠制御部３３は、引き続き図９に示す処理を実行する。先ず、ステップＳ２１と同様に、カードリーダ３に指令を送信して、メッセージ表示部１６に「特定動作カードを読取らせて下さい」といったメッセージを表示させ（ステップＳ２３）、更に、サウンド発生部１５より、特定動作カードの読取り期間であることを作業者に報知するための動作音を出力させる（ステップＳ２４）。その場合、例えば「ピーピーピー…」といったように、ステップＳ２２の場合とは鳴動パターンを変化させる。
【００３６】
次に、施解錠制御部３３は、第２タイマ部３２（特定動作カード読取りタイマ）に計時動作を開始させると（ステップＳ２５）、その計時動作が終了してタイムアップ信号が出力されるまでの間にカードリーダ３が読取ったＩＣカード６を特定動作カードとして、第１実施例のステップＳ５〜Ｓ８と同様に、初期カード情報記憶部２２に記憶させる（ステップＳ２６〜Ｓ２９）。そして、上記タイムアップ信号が出力されると（ステップＳ２９：ＹＥＳ）、カードリーダ３のメッセージ表示部１６における表示、並びにサウンド発生部１５よる動作音の出力を停止させる（ステップＳ３０）。
【００３７】
図１０は、第１実施例の図３におけるフローチャートのステップＳ１６の処理の詳細を示すもので、錠コントローラ３１が運転モードで動作している場合の処理である。運転モード中で、調整用カード以外のＩＣカード６が読取られると、図３のステップＳ１４で「ＮＯ」と判断してステップＳ１６の処理を実行する。その際に、施解錠制御部３３は、ステップＳ１４で読取られたカードが、特定動作カードであるか否かを判断する（ステップＳ３１）。特定動作カードで無ければ（ＮＯ）、通常のＩＣカード６に対応した制御を行ない（ステップＳ３２，通常動作）、ステップＳ１３へリターンする。一方、ステップＳ１４で読取られたカードが、特定動作カードであれば（ＹＥＳ）、通常のＩＣカード６とは異なる制御を行う（ステップＳ３３，特定動作）。
【００３８】
ここで、「通常のＩＣカード６とは異なる制御」とは例えば以下のようなものである。
（１）電気錠２の解錠／施錠のトグル動作
ドア１が施錠されている状態から、カードリーダ３が特定動作カードを読取ると解錠を行なうが、その次に、特定動作カードを読取るまではその解錠状態を維持する（通常は、解錠した一定時間後に施錠する）。即ち、特定動作カードの読取り毎に、解錠，施錠を交互に行う。
【００３９】
即ち、通常のＩＣカード６であれば、その認証情報を読取った結果、ドア１を一旦解錠すると、ドア１が閉じられた後例えば数秒が経過すると自動的に施錠するのが一般的な制御パターンである。しかしながら、状況によっては、一度開けたドア１が直ちに施錠されると、再びＩＣカード６を使って再度の解錠を行う動作が煩わしい場合も想定される（例えば、多くの荷物を出入れする場合など）。従って、特定動作カードを読取る毎に、解錠，施錠を交互に行うように設定すれば、ユーザの意思によってドア１を施錠させたいタイミングで施錠させることが可能となる。
【００４０】
（２）電気錠２の解錠時間の延長
通常は、上記のように、解錠した一定時間後（例えば、１０秒後）に施錠するが、大きな荷物を出し入れする場合などを想定し、解錠状態の維持時間を、例えば３０分程度に延長する。即ち、（１）と同様に、一度開けたドア１が直ちに施錠されると再度の解錠動作が煩わしい場合には、特定動作カードを読取らせて解錠状態を比較的長時間維持させている間に入退室を繰り返すことができる。
【００４１】
（３）来客者入室許可対応
特定動作カードは、外部からの来客に使用させるように定めておき、カードリーダ３が特定動作カードを読取ると、来客者が入室したことを管理サーバ５に送信する。即ち、外部からの来客のように、特定の日時にだけ入退室を行う者に対しては、特定動作カードを貸与して入室を行なわせるようにしておき、錠コントローラ３１が読取った上記カードの情報を外部に送信させることで、例えば、特定の客が来訪したことを認識して報知させる、といった制御を行わせることができる。
これらのように、運転モード中に、通常のＩＣカード６とは異なる制御を行うようにする。尚、図１１には、上記の処理に対応したタイミングチャートの一例を示す。
【００４２】
以上のように第２実施例によれば、第２タイマ部３２は、第１タイマ部２３が計時動作を終了すると自身の計時動作を開始し、施解錠制御部３３は、第２タイマ部３２による計時動作中に読取られたＩＣカード６が新規に読取られたカードであれば、そのＩＣカード６を特定動作カードに設定する。そして、運転モード中に読取ったカードが調整用カードであれば再び調整モードに移行し、運転モード中に読取ったカードが特定動作カードであれば、通常のカードとは異なる制御を実行する。具体的には、運転モード中に読取ったカードが特定動作カードであると判断して解錠動作を行なうと、特定動作カードを再度読取るまで解錠状態を維持したり、特定動作カードであると判断して解錠動作を行なうと、ドア１の開閉状態にかかわらず、解錠状態を所定時間だけ維持したり、特定動作カードの読取り情報を外部に送信するようにした。
【００４３】
即ち、運転モード中であっても、オプションとして、通常とは異なるパターンで
解錠，施錠動作を実行させることができると好ましい場合には、錠コントローラ３１に最初に電源が投入された時点で、調整用カードの設定を行った後に続いて特定動作カードの設定を行ない、その特定動作カードを使用して錠コントローラ３１に通常のカードとは異なる制御を実行させることができる。そして、この場合も、特定動作カードとして使用するためのＩＣカード６に予め特定の情報を記憶させておく必要は無いので、設定を柔軟に行うことができる。
また、カードリーダ３は、第１タイマ部２３，第２タイマ部３２が計時動作中であること、又はその計時動作が終了したことを作業者に報知するので、作業者は、現在の錠コントローラ３１の動作状態を報知に基づいて把握することができ、調整用カード等の設定作業が行い易くなる。
【００４４】
（第３実施例）
図１２は、本発明の第３実施例を示すものであり、第１実施例と異なる部分のみ説明する。図１相当図である図１２において、ステップＳ７を実行した後は、ステップＳ８に移行することなく、ステップＳ４に戻り、タイマ部２３の計時動作をリセットスタートさせるようにする。斯様に構成した第３実施例によれば、調整用カードの読取り期間を、カードの読取り状況に応じて適宜延長することができるので、調整用カードの設定作業が行い易くなる。
【００４５】
本発明は上記し且つ図面に記載した実施例にのみ限定されるものではなく、以下のような変形または拡張が可能である。
カードはＩＣカードに限ることなく、磁気カードであっても良い。
タイマ手段が計時する所定時間は、適宜変更して実施すれば良い。
第１実施例において、タイマ部２３の計時動作中やその計時動作が終了した時点で、第２実施例と同様に報知を行うようにしても良い。
【００４６】
運転モードから調整モードに移行する場合の調整用カードの読取り枚数も、適宜変更すれば良い。
施解錠制御部１７は、最初に電源が投入されると、予め調整モードで起動するようにしても良い。
第２実施例において、特定動作カードによる解錠を行なった後、その解錠状態を維持する時間は、適宜変更して実施すれば良い。
また、第２実施例において、第２タイマ部３２の起動は、施解錠制御部３３を介して行うものに限らず、第１タイマ部２３のタイムアップ信号を与えて直接起動しても良い。
【図面の簡単な説明】
【００４７】
【図１】本発明の第１実施例であり、錠コントローラに最初に電源が投入された場合、施解錠制御部によって行われる処理内容を示すフローチャート
【図２】図１に示す処理を実行した後のフローチャート
【図３】施解錠制御部が運転モードに移行した場合の図２相当図
【図４】図１〜図３の処理に対応したタイミングチャートの一例
【図５】入室管理システムの電気的構成を示す機能ブロック図
【図６】全体構成を示す図
【図７】本発明の第２実施例を示す図５相当図
【図８】図１相当図（その１）
【図９】図１相当図（その２）
【図１０】図３に示すステップＳ１６の処理の詳細を示すフローチャート
【図１１】図４相当図
【図１２】本発明の第３実施例を示す図１相当図
【符号の説明】
【００４８】
図面中、１はドア（扉）、２は電気錠、３はカードリーダ（情報読取り部）４は錠コントローラ（制御部，調整用カード設定手段，記憶手段，モード切換え手段）、６はＩＣカード、１５はサウンド発生部（報知手段）、１６はメッセージ表示部（報知手段）、１７は施解錠制御部（調整用カード設定手段，記憶手段，モード切換え手段，認証手段）、２２は初期カード情報記憶部（記憶手段）、２３はタイマ部（タイマ手段）、３１は錠コントローラ、３２は第２タイマ部（サブタイマ手段）、３３は施解錠制御部（調整用カード設定手段，記憶手段，モード切換え手段）を示す。
【図１】
2008231766.tif 000003
【図２】
2008231766.tif 000004
【図３】
2008231766.tif 000005
【図４】
2008231766.tif 000006
【図５】
2008231766.tif 000007
【図６】
2008231766.tif 000008
【図７】
2008231766.tif 000009
【図８】
2008231766.tif 000010
【図９】
2008231766.tif 000011
【図１０】
2008231766.tif 000012
【図１１】
2008231766.tif 000013
【図１２】
2008231766.tif 000014